(57)【要約】【課題】電気装置の起動時間の短縮と消費電力量の低減とを両立させることができる連動システム、電気装置及び外部装置を提供する。【解決手段】テレビ１は、リモコン３が送信した第１オン信号を受信した場合に電源オンになり、更にリモコン３に操作されてレコーダ２へ第２オン信号を出力する。レコーダ２は電源オフ状態でもＣＰＵ２０、受光部２８等をオンにしており、受光部２８が第１オン信号を受信した場合に、起ち上げに長時間を要する映像処理部２５、ＨＤＤ２６等を予めオンにし（仮オン状態）、テレビ１から第２オン信号が入力された場合に、短時間で起ち上がる表示部２３、チューナ２４等をオンにする（電源オン状態）。このため、レコーダ２を常に仮オン状態に保って消費電力量を増大させることなく、使用者がリモコン３を操作してから電源オフ状態のレコーダ２が電源オン状態になるまでの時間を短縮することができる。【選択図】図１
2009118181.tif 000002
【特許請求の範囲】
【請求項１】
リモートコントローラから送信された第１信号を受け付けた場合にオンになり、オンになっている場合に第２信号を出力する第１電気装置と、複数のハードウェアを備える第２電気装置とが接続されており、
前記第２電気装置は、一部のハードウェアをオンにしており、前記第１電気装置から前記第２信号が入力された場合に他部のハードウェアをオンにする連動システムにおいて、
前記第２電気装置は、
前記第１信号を受け付ける受付部と、
前記第２信号が入力されておらず、且つ、前記受付部が前記第１信号を受け付けた場合に、前記他部のハードウェアの一部をオンにするオン手段と
を備えることを特徴とする連動システム。
【請求項２】
複数のハードウェアを備え、
一部のハードウェアをオンにしており、外部から一の信号が入力された場合に他部のハードウェアをオンにする電気装置において、
他の信号を受け付ける受付部と、
前記一の信号が入力されておらず、且つ、前記受付部が前記他の信号を受け付けた場合に、前記他部のハードウェアの一部をオンにするオン手段と
を備えることを特徴とする電気装置。
【請求項３】
前記受付部は、前記他の信号とは異なる更に他の信号も受け付けるようにしてあり、
前記オン手段は、前記一の信号が入力されておらず、且つ、前記受付部が前記他の信号を受け付けた場合に、前記一部をオンにするようにしてあることを特徴とする請求項２に記載の電気装置。
【請求項４】
前記一の信号が入力されておらず、且つ、前記受付部が前記他の信号を受け付けた場合に、前記受付部が前記他の信号を受け付けてから所定時間が経過したか否かを判定する経過判定手段と、
前記一の信号が入力されておらず、且つ、前記経過判定手段が経過したと判定した場合に、オンにしてある前記一部をオフにするオフ手段と
を更に備えることを特徴とする請求項２又は３に記載の電気装置。
【請求項５】
接続した外部装置から信号が入力される入力部を備え、
前記受付部は、前記入力部に入力された信号に対応する信号を受け付けるようにしてあることを特徴とする請求項２から４の何れかひとつに記載の電気装置。
【請求項６】
請求項５に記載の電気装置が接続された場合に、接続された電気装置へ信号を出力する出力部を備えることを特徴とする外部装置。
【発明の詳細な説明】
【技術分野】
【０００１】
本発明は、オンになった第１電気装置が第２電気装置をオンにする連動システム、並びに該連動システムを構成する電気装置及び外部装置に関する。
【背景技術】
【０００２】
従来、テレビジョン装置（以下、テレビという）に、ハードディスクのプラッタ、ＤＶＤ等の記録媒体に対する動画、音声等の記録及び／又は再生を行なう装置（以下、レコーダという）が接続されたテレビシステムが用いられている。
テレビはスタンバイモードと通常モードとを有し、スタンバイモードでは表示部、音声出力部等の主機能部は作動停止しているがテレビを制御する制御信号は受け付け、通常モードでは主機能部が作動する。同様にレコーダは、ＤＶＤの記録／再生部、ハードディスク等の主機能部は作動停止しているがレコーダを制御する制御信号は受け付けるスタンバイモードと、主機能部が作動する通常モードとを有する。本明細書においては、スタンバイモードにあることを電源がオフになっているといい、通常モードにあることを電源がオンになっているという。
【０００３】
このようなテレビシステムでは、テレビのリモートコントローラ（以下、リモコンという）に、テレビの電源をオンにする制御信号（以下、テレビオン信号という）を送信するためのテレビ電源オンキーと、レコーダの電源をオンにする制御信号（以下、第１レコーダオン信号という）を送信するためのレコーダ電源オンキーとが設けられている。
【０００４】
テレビの電源がオフになっている場合、テレビシステムの使用者がテレビ電源オンキーを操作することによって、リモコンからテレビへテレビオン信号が送信され、テレビオン信号を受信したテレビは電源がオンになる。一方、レコーダの電源がオフになっている場合、使用者がレコーダ電源オンキーを操作することによって、リモコンからテレビへ第１レコーダオン信号が送信され、第１レコーダオン信号を受信したテレビは、レコーダの電源をオンにする制御信号（以下、第２レコーダオン信号という）をレコーダへ出力し、第２レコーダオン信号が入力されたレコーダは電源がオンになる。一般には、テレビ電源オンキーが操作されてからレコーダ電源オンキーが操作される。
以上の結果、使用者はテレビ及びレコーダ夫々の専用のリモコンを操作することなく、テレビのリモコンを操作するだけで、テレビ及びレコーダを連動してオンにすることができる。
【０００５】
従来、例えばテレビにレコーダ、外部スピーカ装置等の各種電気装置が接続されており、使用者がリモコンのテレビ電源オンキーを操作することによって、スタンバイモードにあるテレビ及び各種電気装置夫々の電源がオンになるテレビシステムが知られている。
このようなテレビシステムでは、各種電気装置として、例えば学習リモコン機能を備えた受信機を用い、例えばテレビのリモコンが送信するテレビオン信号を各種電気装置が学習することによって、テレビ及び各種電気装置夫々が共通のリモコンで遠隔操作可能となる（特許文献１参照）。
しかしながら、このようなテレビシステムでは、テレビのみを使用して各種電気装置を使用しない場合であってもテレビ及び各種電気装置全ての電源がオンになるため、電力の無駄が生じるという問題がある。
【０００６】
この問題を解決するために、テレビの電源がオフになっている場合に使用者がテレビ電源オンキーを操作したときはテレビのみを電源オンにし、テレビの電源がオンになっている場合に使用者がテレビ電源オンキーを操作したときはテレビをオンにしたまま電源各種電気装置の電源をオンにする電源制御装置が提案されている（特許文献２参照）。
【０００７】
このような電源制御装置を用いる場合、使用者は、テレビ及び各種電気装置全てを電源オンにしたい場合は電源がオフになっているテレビに向けてテレビ電源オンキーを２回操作すればよく、テレビのみを電源オンにしたい場合は電源がオフになっているテレビに向けてテレビ電源オンキーを１回操作すればよい。この結果、テレビのみを使用する場合に各種電気装置をオンにする無駄を省いて省電力を図ることができる。
【特許文献１】実開平５−７８０８５号公報
【特許文献２】特開２００３−３６６６０号公報
【発明の開示】
【発明が解決しようとする課題】
【０００８】
ところで、レコーダがハードディスクを備えている場合、例えばテレビの表示部が起ち上げに要する時間（例えば数秒）と比べて、内蔵のプラッタをモータで回転させる必要があるハードディスクが起ち上げに要する時間は長い（例えば十数秒）。
つまり、使用者がリモコンのレコーダ電源オンキーを操作してからレコーダが実際に使用可能になるまでの時間（以下、レコーダの起動時間という）は長く、テレビ電源オンキーを操作してからテレビが実際に使用可能になるまでの時間（以下、テレビの起動時間という）は短い。このため、使用者はレコーダの起動時間とテレビの起動時間とを感覚的に比較して、レコーダの起動時間を更に長く感じ、焦り、苛立ち等の不快感を覚えることがある。
【０００９】
レコーダの起動時間を短縮するためには、ハードディスクを予め起ち上げておくことが考えられる。この場合、例えばレコーダの表示部を作動停止させておくことによって、使用者にはレコーダが電源オフになってるように見える。このような状態を、以下では仮オンモードという。
表示部が起ち上げに要する時間は短いため、仮オンモードのレコーダの起動時間はテレビの起動時間同様に短くなる。
しかしながら、使用者がいつレコーダの使用を所望するのかをレコーダ自身が判断することはできないため、長期間に亘って使用者がレコーダを使用しない場合であっても、仮オンモードのレコーダはハードディスクを作動させ続ける必要がある。この結果、レコーダの消費電力量が無駄に増大するという問題が生じる。
【００１０】
特許文献１に記載されている受信機を備えるテレビシステムでは、リモコンのテレビ電源オンキーが操作された後で各種電気装置がハードウェアの起ち上げを開始するため、各種電気装置の起動時間を短縮することができない。
同様に、特許文献２に記載されている電源制御装置においては、リモコンのテレビ電源オンキーが２回操作された後で各種電気装置がハードウェアの起ち上げを開始するため、各種電気装置の起動時間を短縮することができない。
【００１１】
本発明は斯かる事情に鑑みてなされたものであり、その主たる目的は、第１電気装置が、リモートコントローラから送信された第１信号を受け付けた場合にオンになり、一部のハードウェアをオンにしている第２電気装置が第１信号を受け付けた場合に、第１電気装置から第２信号が入力されたときにオンにすべき他部のハードウェアの更に一部を予めオンにする構成とすることにより、第２電気装置の起動時間の短縮と消費電力量の低減とを両立させることができる連動システム、電気装置及び外部装置を提供することにある。
【課題を解決するための手段】
【００１２】
本発明に係る連動システムは、リモートコントローラから送信された第１信号を受け付けた場合にオンになり、オンになっている場合に第２信号を出力する第１電気装置と、複数のハードウェアを備える第２電気装置とが接続されており、前記第２電気装置は、一部のハードウェアをオンにしており、前記第１電気装置から前記第２信号が入力された場合に他部のハードウェアをオンにする連動システムにおいて、前記第２電気装置は、前記第１信号を受け付ける受付部と、前記第２信号が入力されておらず、且つ、前記受付部が前記第１信号を受け付けた場合に、前記他部のハードウェアの一部をオンにするオン手段とを備えることを特徴とする。
【００１３】
本発明に係る電気装置は、複数のハードウェアを備え、一部のハードウェアをオンにしており、外部から一の信号が入力された場合に他部のハードウェアをオンにする電気装置において、他の信号を受け付ける受付部と、前記一の信号が入力されておらず、且つ、前記受付部が前記他の信号を受け付けた場合に、前記他部のハードウェアの一部をオンにするオン手段とを備えることを特徴とする。
【００１４】
本発明に係る電気装置は、前記受付部は、前記他の信号とは異なる更に他の信号も受け付けるようにしてあり、前記オン手段は、前記一の信号が入力されておらず、且つ、前記受付部が前記他の信号を受け付けた場合に、前記一部をオンにするようにしてあることを特徴とする。
【００１５】
本発明に係る電気装置は、前記一の信号が入力されておらず、且つ、前記受付部が前記他の信号を受け付けた場合に、前記受付部が前記他の信号を受け付けてから所定時間が経過したか否かを判定する経過判定手段と、前記一の信号が入力されておらず、且つ、前記経過判定手段が経過したと判定した場合に、オンにしてある前記一部をオフにするオフ手段とを更に備えることを特徴とする。
【００１６】
本発明に係る電気装置は、接続した外部装置から信号が入力される入力部を備え、前記受付部は、前記入力部に入力された信号に対応する信号を受け付けるようにしてあることを特徴とする。
【００１７】
本発明に係る外部装置は、本発明に係る電気装置が接続された場合に、接続された電気装置へ信号を出力する出力部を備えることを特徴とする。
【００１８】
本発明にあっては、連動システムが第１電気装置と第２電気装置とを備え、第２電気装置は、例えば本発明に係る電気装置であって、受付部とオン手段とを有する。
第１電気装置は、リモートコントローラから送信された第１信号を受け付けた場合にオンになる。また、オンになっている第１電気装置は、第２電気装置へ第２信号を出力する。
【００１９】
第２電気装置は複数のハードウェア（例えばハードウェアＡ，Ｂ，Ｃ，…）を備え、第２信号（一の信号）が第１電気装置から入力されるまで一部のハードウェア（例えばハードウェアＡ）をオンにしており、第２信号が入力された場合にハードウェアＡをオンにしたまま他部のハードウェア（例えばハードウェアＢ，Ｃ）をオンにする。ここで、ハードウェアＡは例えばスタンバイモード（即ち電源オフ時）でも作動しているハードウェアであり、ハードウェアＢは起ち上げに要する時間（以下、起ち上げ時間という）が長いハードウェア、ハードウェアＣは起ち上げ時間が短いハードウェアである。
【００２０】
第２電気装置の受付部は、第１信号（他の信号）を受け付ける。つまり、第１電気装置が受信する第１信号を、第２電気装置も受信する。
受付部が第１信号を受け付けた場合とは、使用者が第１電気装置を使用すべくリモートコントローラを操作して第１電気装置をオンにした場合である。この場合、使用者は、第１電気装置と共に第２電気装置の使用も所望する可能性がある。
従って、第２電気装置のオン手段は、第２信号が入力されておらず、且つ、受付部が第１信号を受け付けた場合に、ハードウェアＡをオンにしたまま、ハードウェアＢ，Ｃの一部（具体的にはハードウェアＢ）を予めオンにする。
【００２１】
オン手段によってハードウェアＢがオンにされた後で第２信号が入力された場合、ハードウェアＢ，Ｃの他部であるハードウェアＣがオンにされる。
以上のようにして、リモートコントローラが第１信号を送信してから第１電気装置が第２電気装置へ第２信号を出力するまでの間に、起ち上げ時間が長いハードウェアＢを予めオンにするため、第２電気装置に第２信号が入力されてからハードウェアＢをオンにする場合と比べると、使用者がリモートコントローラを操作してから第２電気装置が使用可能になるまでの時間（即ち第２電気装置の起動時間）が短縮される。
【００２２】
本発明にあっては、連動システムの第２電気装置に相当する電気装置（以下、この電気装置も第２電気装置という）が有する受付部が、他の信号（第１信号）とは異なる更に他の信号を受け付ける。以下では、この信号を第３信号という。
第２電気装置の受付部は、リモートコントローラから送信された第３信号を受け付ける。つまり、第１電気装置が受信する第３信号を、第２電気装置も受信する。
【００２３】
連動システムの第１電気装置は、リモートコントローラから送信された第３信号を受け付けた場合に、受け付けた第３信号に対応する所定の動作を行なう。この第３信号は、例えば入力切替信号であり、入力切替信号が入力された第１電気装置は、第２電気装置からの各種データの入力を受け付ける。即ち、リモートコントローラから第３信号が送信される場合とは、使用者が第２電気装置の使用を所望する可能性が高い場合である。
オンになっている第１電気装置は、第２電気装置へ第２信号を出力する。
【００２４】
ハードウェアＡ，Ｂ，Ｃ，…を備える第２電気装置は、第２信号が第１電気装置から入力されるまでハードウェアＡをオンにしており、第２電気装置のオン手段は、第２信号が入力されておらず、且つ、受付部が第３信号を受け付けた場合に、ハードウェアＡをオンにしたまま、ハードウェアＢを予めオンにする。
オン手段によってハードウェアＢがオンにされた後で第２信号が入力された場合、ハードウェアＣがオンにされる。
以上のようにして、リモートコントローラが第３信号を送信してから、オンになっている第１電気装置が第２電気装置へ第２信号を出力するまでの間に、起ち上げ時間が長いハードウェアＢが予めオンにされているため、第２電気装置に第２信号が入力されてからハードウェアＢをオンにする場合と比べると、第２電気装置の起動時間を短縮することができる。
【００２５】
本発明にあっては、第２電気装置が、受付部及びオン手段の他に、経過判定手段とオフ手段とを更に備える。
第２電気装置のオン手段は、第２信号が入力されておらず、且つ、受付部が第１信号（又は第３信号）を受け付けた場合に、ハードウェアＢを予めオンにする。この場合、第２電気装置の経過判定手段は、受付部が第１信号（又は第３信号）を受け付けてから所定時間が経過したか否かを判定する。
【００２６】
オン手段によってハードウェアＢがオンにされた後で、第２信号が入力されておらず、且つ、経過判定手段が、所定時間が経過したと判定した場合、第２電気装置のオフ手段は、オンにしてあるハードウェアＢをオフにする。第１信号（又は第３信号）を受け付けてから所定時間が経過しても第２信号が入力されない場合とは、第１電気装置は使用されるが第２電気装置は使用されない場合であるため、再びハードウェアＢをオフにしてハードウェアＡのみをオンにしておくことによって、省電力を図ることができる。
一方、オン手段によってハードウェアＢがオンにされた後で、所定時間が経過するまでに第２信号が入力された場合は、ハードウェアＣがオンにされる。この結果、第２電気装置が短時間で使用可能になる。
【００２７】
本発明にあっては、第２電気装置が、受付部及びオン手段の他に、入力部を更に備え、連動システムの第１電気装置に相当する外部装置（以下、この外部装置も第１電気装置という）が出力部を備える。
第１電気装置の出力部は、第１電気装置に第２電気装置が接続された場合に、接続された第２電気装置へ信号を出力する。この信号は、第１信号（又は第３信号）に対応する信号である。
第２電気装置の入力部は、第２電気装置が第１電気装置に接続した場合に、接続した第１電気装置から信号を入力される。
【００２８】
第２電気装置では、入力部に入力された信号に対応する信号（即ち第１信号又は第３信号）を受付部が受け付ける。従って、例えば第２電気装置の工場出荷時に、第１信号（又は第３信号）を第２電気装置に登録しておく必要がない。また、第２電気装置の受付部が、第１信号（又は第３信号）とは異なる信号を誤って受け付けることがない。
【発明の効果】
【００２９】
本発明の連動システム及び電気装置による場合、リモートコントローラが第１信号を送信してから、第１電気装置が第２電気装置へ第２信号を出力するまでの時間差を利用して、起ち上げ時間が長いハードウェアを予めオンにしておくことができるため、第２電気装置の起動時間を短縮することができる。この結果、使用者が第２電気装置の起動時間を長いと思って不快感を覚えることを抑制することができる。
また、第２電気装置が第１信号を受信するまでは、第２電気装置のハードウェアの内、必要最小限のハードウェアのみをオンにしておけばよく、当面不要なハードウェアはオフにしておくことができる。従って、第２電気装置の消費電力量を低減することができる。
【００３０】
しかも、第２電気装置の起動時間を短縮するために、ハードウェア自体を改良してハードウェアの起ち上げ時間そのものを短縮する必要がないため、公知のハードウェアを用いて第２電気装置を構成することができる。この結果、第２電気装置の製造コストを低減させることができる。
【００３１】
本発明の電気装置及び外部装置による場合、外部装置（第１電気装置）から電気装置（第２電気装置）へ、第１信号（又は第３信号）に対応する信号を予め出力しておくことによって、第２電気装置の工場出荷時に、第２電気装置のメモリに第１信号（又は第３信号）が記憶されていなくても、第２電気装置を第１電気装置に接続することによって、第２電気装置の受付部が第１信号（又は第３信号）を受け付けることができる。
また、第２電気装置は、入力部に入力された信号に対応する信号以外の信号を受付部が受け付けた場合に、第１信号（又は第３信号）を受け付けていないと判定するため、例えば他機種のリモートコントローラが出力した信号を受け付けたときに、誤って第１信号（又は第３信号）を受け付けたと判定する不具合を抑制することができる。
【発明を実施するための最良の形態】
【００３２】
以下、本発明を、その実施の形態を示す図面に基づいて詳述する。
実施の形態  １．
図１は、本発明の実施の形態１に係る連動システムの構成を示すブロック図である。
図中４は連動システムであり、連動システム４は第１電気装置としてのテレビ１、第２電気装置としてのレコーダ２、テレビ１を遠隔操作するためのリモコン３、及びレコーダ２を遠隔操作するためのリモコン（不図示）を備える。使用者は、レコーダ２のリモコンを用いてレコーダ２を直接的に操作する。以下では、レコーダ２のリモコンに関する詳細な説明は省略する。
【００３３】
リモコン３は、テレビ１の動作（例えば電源のオン／オフ）を制御するテレビ制御信号を無線でテレビ１へ送信する。テレビ制御信号を受信したテレビ１は、受信したテレビ制御信号に応じた所定の動作を行なう。例えばテレビ１は、受信したテレビ制御信号に応じて、レコーダ２の動作を制御するレコーダ制御信号を有線でレコーダ２へ出力する。この結果、リモコン３は間接的にレコーダ２のリモートコントローラとして機能する。つまり、使用者はリモコン３を用いてテレビ１を直接的に操作し、レコーダ２を間接的に操作する。
ただし、後述するように、所定のテレビ制御信号は、レコーダ２においても受信される。
【００３４】
リモコン３は制御部３０、発光部３１及び操作部３２を備える。操作部３２には、使用者がテレビ１を操作するための各種のテレビ操作キーと、レコーダ２を操作するための各種のレコーダ操作キーとが設けられている。テレビ操作キーとしては、具体的にはテレビ１の電源をオン/オフする場合に操作すべきテレビ電源キー３ａ、及び、テレビ１に対して入力される信号、データ等を切り替える場合に操作すべき入力切替キー３ｂ等が設けられている。また、レコーダ操作キーとしては、例えばレコーダ２の電源をオン/オフする場合に操作すべきレコーダ電源キー３ｃが設けられている。なお、レコーダ操作キーとして、映像再生キー、映像録画キー、再生／録画停止キー等が設けられていてもよい。
【００３５】
発光部３１は、テレビ制御信号を含む赤外線を発光するよう構成されている。発光部３１が発した赤外線が到達する範囲は適宜の広さを有するため、後述するテレビ１の受光部１９及びレコーダ２の受光部２８を夫々この範囲に設置することによって、テレビ１及びレコーダ２の両方がテレビ制御信号を受信可能となる。
制御部３０はリモコン３の制御中枢であり、操作部３２が操作された場合に発光部３１を制御することによって、操作された各種操作キーに対応するテレビ制御信号を送信する。
【００３６】
テレビ１の電源をオンにするためにテレビ電源キー３ａを操作した場合も、テレビ１の電源をオフにするためにテレビ電源キー３ａを操作した場合も、発光部３１から送信されるテレビ制御信号は同じ波形であるが、以下では区別のために、テレビ１の電源をオンにするためのテレビ制御信号を第１オン信号（第１信号）といい、テレビ１の電源をオフにするためのテレビ制御信号を第１オフ信号という。
【００３７】
同様に、レコーダ２の電源をオンにするためにレコーダ電源キー３ｃを操作した場合も、レコーダ２の電源をオフにするためにレコーダ電源キー３ｃを操作した場合も、発光部３１から送信されるテレビ制御信号は同じ波形であるが、以下では区別のために、レコーダ２の電源をオンにするためのテレビ制御信号をレコーダオン信号といい、レコーダ２の電源をオフにするためのテレビ制御信号をレコーダオフ信号という。
【００３８】
テレビ１は、ハードウェアとして、ＣＰＵ１０、ＲＯＭ１１、ＲＡＭ１２、チューナ１３、映像処理部１４、表示部１５、音声処理部１６、音声出力部１７、通信部１８及び受光部１９を備える。
ＣＰＵ１０はテレビ１の制御中枢であり、ＲＡＭ１２を作業領域として用い、ＲＯＭ１１に記憶された制御プログラム及びデータに従って各種処理を実行する。
【００３９】
チューナ１３は、図示しないテレビ局からアンテナが受信した複数種類の電波から適宜の電波を選択し、選択した電波に含まれる映像データを動画データ及び音声データに分割して夫々映像処理部１４及び音声処理部１６へ出力する。ここで映像データとは、互いに同期している動画データ及び音声データを含むデータである。
【００４０】
通信部１８は、例えばＨＤＭＩ（High-Definition Multimedia Interface）を用いてなり、ＨＤＭＩ規格の接続ケーブルＣを介して、後述するレコーダ２の通信部２７に接続されている。レコーダ２からは接続ケーブルＣを介して通信部１８に映像データが入力され、入力された映像データは動画データ及び音声データに分割されて夫々映像処理部１４及び音声処理部１６へ出力される。また、レコーダ制御信号は、通信部１８から接続ケーブルＣを介してレコーダ２へ出力される。ここで、接続ケーブルＣは、映像データを入出力するための映像ラインとレコーダ制御信号を入出力するためのＣＥＣ（Consumer Electronics Control）ラインとを有する。従って、接続ケーブルＣを介して入出力されるレコーダ制御信号は、ＣＥＣ規格に準拠する信号である。
【００４１】
映像処理部１４は、チューナ１３又は通信部１８から入力された動画データを、適宜の画像処理を施してから表示部１５へ出力する。表示部１５は、例えばカラーの液晶表示パネルを用いてなり、入力された動画データに基づく動画を、音声出力部１７から出力される音声に同期して表示する。
音声処理部１６は、チューナ１３又は通信部１８から入力された音声データを、適宜の音声処理を施してから音声出力部１７に出力する。音声出力部１７はスピーカを用いてなり、入力された音声データに基づく音声を、表示部１５に表示される動画に同期して出力する。
【００４２】
テレビ１には、チューナ１３及び通信部１８の何れか一方を介して映像データが入力される。映像データの入力機器をチューナ１３から通信部１８に切り替える場合（即ち、テレビ１に対して入力される映像を、テレビ局が放送した映像からレコーダ２が出力した映像に切り替える場合）、使用者はリモコン３の入力切替キー３ｂを操作する。入力切替キー３ｂが操作された場合にリモコン３から送信されるテレビ制御信号を、以下では入力切替信号（第３信号）という。なお、映像データの入力機器を通信部１８からチューナ１３に切り替える場合にも入力切替キー３ｂが操作される構成でもよい。
受光部１９は赤外線を受光し、受光した赤外線に含まれるテレビ制御信号をＣＰＵ１０へ出力するよう構成されている。
【００４３】
受光部１９を介してテレビ制御信号を受信したＣＰＵ１０は、受信したテレビ制御信号に応じた動作を行なうべくテレビ１の各部を制御する。例えば、テレビ制御信号としてレコーダオン信号を受信した場合、ＣＰＵ１０は、レコーダ２の電源をオンにするためのレコーダ制御信号を通信部１８からレコーダ２へ出力する。このレコーダ制御信号を、以下では第２オン信号（第２信号）という。同様に、レコーダオフ信号を受信した場合、ＣＰＵ１０は、レコーダ２の電源をオフにするための第２オフ信号を通信部１８からレコーダ２へ出力する。
【００４４】
電源オフ状態（いわゆるスタンバイモード）のテレビ１においては、ハードウェアの内、ＣＰＵ１０、ＲＯＭ１１、ＲＡＭ１２、通信部１８及び受光部１９が給電されて作動しており（以下、作動オンという）、チューナ１３、映像処理部１４、表示部１５、音声処理部１６及び音声出力部１７は給電されておらず作動停止している（以下、作動オフという）。一方、電源オン状態のテレビ１においては、これらのハードウェア全部が作動オンになっている。
【００４５】
電源オフ下のＣＰＵ１０は、受光部１９を介して第１オン信号を受信した場合に、作動オフになっているハードウェアを作動オンにする。このことによって、テレビ１は電源オフ状態から電源オン状態へ遷移する。
一方、電源オン下のＣＰＵ１０は、受光部１９を介して第１オフ信号を受信した場合に、所定のハードウェアを作動オフにする（即ち電源オン状態から電源オフ状態への遷移）。
【００４６】
レコーダ２は、映像の記録及び再生を行なう装置であり、ハードウェアとして、ＣＰＵ２０、ＲＯＭ２１、ＲＡＭ２２、表示部２３、チューナ２４、映像処理部２５、ＨＤＤ（ハードディスク）２６、通信部２７及び受光部２８を備える。
ＣＰＵ２０はレコーダ２の制御中枢であり、ＲＡＭ２２を作業領域として用い、ＲＯＭ２１に記憶された制御プログラム及びデータに従って各種処理を実行する。
表示部２３は、例えば白黒の液晶表示パネルを用いてなり、レコーダ２の作動状態、エラーメッセージ等を表示する。
チューナ２４は、受信した複数種類の電波から適宜の電波を選択し、選択した電波に含まれる映像データを映像処理部２５へ出力する。
【００４７】
映像処理部２５は、例えば画像処理用のＤＳＰ（Digital Signal Processor）を用いてなり、チューナ２４から入力された映像データに適宜の処理を施し、処理済の映像データをＨＤＤ２６へ出力する。
ＨＤＤ２６は、入力された映像データを記憶する。ＨＤＤ２６に記憶された映像データは、ＣＰＵ２０によって読み出される。
【００４８】
通信部２７はＨＤＭＩを用いてなり、接続ケーブルＣを介して、テレビ１の通信部１８に接続されている。ＨＤＤ２６から読み出された映像データは通信部２７から接続ケーブルＣを介してテレビ１へ出力される。また、テレビ１から出力されたレコーダ制御信号は、接続ケーブルＣを介して通信部２７に入力され、通信部２７からＣＰＵ２０へ出力される。
なお、チューナ１３から出力された映像データがＨＤＤ２６に記憶される構成でもよく、チューナ２４から出力された映像データがテレビ１へ出力される構成でもよい。
【００４９】
受光部２８は受付部として機能する。このために受光部２８は、赤外線を受光し、受光した赤外線に含まれるテレビ制御信号をＣＰＵ２０へ出力するよう構成されている。受光部２８を介してテレビ制御信号を受信するか、又は通信部２７を介してレコーダ制御信号を入力されたＣＰＵ２０は、受信したテレビ制御信号又はレコーダ制御信号に応じた動作を行なうべく、レコーダ２の各部を制御する。
【００５０】
使用者は、テレビ局が放送した映像（以下、テレビ映像という）を視聴すべくテレビ１を単独で使用する場合と、レコーダ２に記録されている映像（以下、レコーダ映像という）を視聴すべくテレビ１及びレコーダ２を併用する場合とがある。
テレビ映像の視聴を所望する使用者は、リモコン３のテレビ電源キー３ａを操作してテレビ１を電源オン状態にする。視聴終了後、使用者は再びテレビ電源キー３ａを操作してテレビ１を電源オフ状態にする。
【００５１】
レコーダ映像の視聴を所望する使用者は、テレビ電源キー３ａを操作してテレビ１を電源オン状態し、次いで、レコーダ電源キー３ｃを操作してレコーダ２を電源オン状態にする。ここで使用者は入力切替キー３ｂを操作して、テレビ１に対する映像データの入力機器をチューナ１３から通信部１８（延いてはレコーダ２）に切り替える。視聴終了後、使用者は再びレコーダ電源キー３ｃを操作してレコーダ２を電源オフ状態にし、次いで、再びテレビ電源キー３ａを操作してテレビ１を電源オフ状態にする。
【００５２】
テレビ映像を視聴した後で、レコーダ映像の視聴を所望する使用者は、リモコン３のテレビ電源キー３ａを操作してテレビ１を電源オン状態にする。テレビ映像の視聴終了後、使用者は、入力切替キー３ｂを操作してテレビ１に対する映像データの入力機器をチューナ１３から通信部１８（延いてはレコーダ２）に切り替え、次に、レコーダ電源キー３ｃを操作してレコーダ２を電源オン状態にする。レコーダ２に記録されている視聴終了後、使用者は再びレコーダ電源キー３ｃを操作してレコーダ２を電源オフ状態にし、次いで、再びテレビ電源キー３ａを操作してテレビ１を電源オフ状態にする。
【００５３】
図２及び図３は、本発明の実施の形態１に係る連動システムが備えるレコーダの電源オフ状態及び仮オン状態を模式的に示すブロック図である。図２及び図３では、作動オフになっているハードウェアを示すブロックにハッチングを施して、作動オンになっているハードウェアと区別してある。
図２に示すように、電源オフ状態（いわゆるスタンバイモード）のレコーダ２においては、一部のハードウェア（具体的にはＣＰＵ２０、ＲＯＭ２１、ＲＡＭ２２、通信部２７及び受光部２８）が作動オンになっており、他部のハードウェア（具体的には表示部２３、チューナ２４、映像処理部２５及びＨＤＤ２６）は作動オフになっている。一方、電源オン状態のレコーダ２においては、これらのハードウェア全部が作動オンになっている。
【００５４】
電源オフ下のＣＰＵ２０は、通信部２７を介して第２オン信号が入力された場合に、作動オンになっている一部のハードウェアを作動オンのまま維持し、更に、作動オフになっている他部のハードウェアを作動オンにする。このことによって、レコーダ２は電源オフ状態から電源オン状態へ遷移する。
一方、電源オン下のＣＰＵ２０は、通信部２７を介して第２オフ信号を受信した場合に、一部のハードウェアを作動オンのまま維持し、他部のハードウェアを作動オフにする（即ち電源オン状態から電源オフ状態への遷移）。
【００５５】
本発明の特徴は、レコーダ２に、電源オフ状態と電源オン状態との間の中間的な状態（以下、仮オン状態という）が設けられていることである。
仮オン状態のレコーダ２においては、図３に示すように、一部のハードウェア、即ちＣＰＵ２０、ＲＯＭ２１、ＲＡＭ２２、通信部２７及び受光部２８が、電源オフ状態のときと同様に給電されて作動しており、更に、他部のハードウェアの更に一部（具体的には映像処理部２５及びＨＤＤ２６）が給電されて作動している。一方、他部のハードウェアの更に他部（具体的には表示部２３及びチューナ２４）は、電源オフ状態のときと同様に給電されておらず作動停止している。
【００５６】
作動停止していたハードウェアが起ち上げられて使用可能になるまでに要する時間（以下、機器起動時間という）はハードウェア毎に異なり、電源オフ状態のときに作動停止しているハードウェアの内、表示部２３及びチューナ２４夫々の機器起動時間は短く、映像処理部２５及びＨＤＤ２６夫々の機器起動時間は長い。何故ならば映像処理部２５は、映像処理部２５の初期化処理（例えば画像処理プログラムのダウンロード）に長時間を要し、ＨＤＤ２６は、モータを作動させてプラッタを回転させるために長時間を要するからである。
【００５７】
電源オフ下のＣＰＵ２０は、受光部２８を介して第１オン信号又は入力切替信号を受信した場合に、作動オフになっている映像処理部２５及びＨＤＤ２６夫々を作動オンにする。このことによって、レコーダ２は電源オフ状態から仮オン状態へ遷移する。
【００５８】
仮オン下のＣＰＵ２０は、第１オン信号又は入力切替信号を受信してからの経過時間を計時し、所定時間が経過しない間に通信部２７を介して第２オン信号が入力された場合に、作動オフになっている表示部２３及びチューナ２４夫々を作動オンにする（即ち仮オン状態から電源オン状態への遷移）。
ただし、第１オン信号又は入力切替信号を受信してから第２オン信号が入力されない内に所定時間が経過した場合、ＣＰＵ２０は、作動オンになっている映像処理部２５及びＨＤＤ２６夫々を作動オフにする（即ち仮オン状態から電源オフ状態への遷移）。
【００５９】
ところで、仮オン状態のレコーダ２は、表示部２３が作動停止しているため、使用者にはレコーダ２が電源オフ状態と変わらないように見える。ただし、ＨＤＤ２６の駆動音の有無を聞き分けることで、使用者はレコーダ２が仮オン状態であるか電源オフ状態であるかを知ることができる。
なお、レコーダ２は、ＨＤＤ２６以外に、例えばＤＶＤ、ブルーレイディスク等の記録媒体に対して画像の記録／再生を行なう記録／再生部を備えていてもよい。このような記録／再生部は、ハードディスク２６同様に、仮オン状態への遷移に伴って作動オンにされ、例えば記録／再生部に収容されている記録媒体に対して照射すべきレーザの光量を予め調節し、また、この記録媒体の種類（例えば記録可能であるか、又は再生専用であるか）を予め判別する。
【００６０】
図４及び図５は、本発明の実施の形態１に係る連動システムが備えるテレビ及びレコーダのオン／オフ手順の一例及び他の一例を説明するブロック図である。
図４は、テレビ１及びレコーダ２の両方が電源オフ状態であって、しかも使用者が、レコーダ映像の視聴を所望する場合を例示している。
図４（ａ）に示すように、リモコン３のテレビ電源キー３ａが操作されて第１オン信号が送信された場合、第１オン信号はテレビ１及びレコーダ２夫々が受信する。第１オン信号を受信したテレビ１は電源オフ状態から電源オン状態へ遷移し、第１オン信号を受信したレコーダ２は電源オフ状態から仮オン状態へ遷移する。このときレコーダ２では、機器起動時間が長い映像処理部２５及びＨＤＤ２６夫々が起ち上げられる。
【００６１】
使用者はテレビ１及びレコーダ２の併用を所望しているため、テレビ電源キー３ａを操作してから長時間を経ない間にレコーダ電源キー３ｃを操作する。
図４（ｂ）に示すように、リモコン３のレコーダ電源キー３ｃが操作されてレコーダオン信号が送信された場合、レコーダオン信号はテレビ１が受信する。レコーダオン信号を受信したテレビ１は第２オン信号をレコーダ２へ出力し、第２オン信号が入力されたレコーダ２は仮オン状態から電源オン状態へ遷移する。このときレコーダ２では、機器起動時間が短い表示部２３及びチューナ２４夫々が起ち上げられる。
【００６２】
ここで、従来の連動システムでは、レコーダ２は仮オン状態を経ず、リモコン３のレコーダ電源キー３ｃが操作された場合に電源オフ状態から電源オン状態へ遷移する。このときレコーダ２では、機器起動時間が長い映像処理部２５及びＨＤＤ２６夫々と機器起動時間が短い表示部２３及びチューナ２４夫々とが起ち上げられる。
【００６３】
映像の視聴終了後、図４（ｃ）に示すように、リモコン３のレコーダ電源キー３ｃが再び操作されてレコーダオフ信号が送信された場合、レコーダオフ信号はテレビ１が受信する。レコーダオフ信号を受信したテレビ１は第２オフ信号をレコーダ２へ出力し、第２オフ信号が入力されたレコーダ２は電源オン状態から電源オフ状態へ遷移する。
次に、図４（ｄ）に示すように、リモコン３のテレビ電源キー３ａが再び操作されて第１オフ信号が送信された場合、第１オフ信号はテレビ１が受信する。第１オフ信号を受信したテレビ１は電源オン状態から電源オフ状態へ遷移する。
【００６４】
図５は、テレビ１及びレコーダ２の両方が電源オフ状態であって、しかも使用者が、テレビ映像を視聴した後でレコーダ映像の視聴を所望する場合を例示している。
図５（ａ）に示すリモコン３、テレビ１及びレコーダ２夫々の挙動は図４（ａ）に示すリモコン３、テレビ１及びレコーダ２夫々の挙動と同様である。
使用者は最初、テレビ１の単独使用を所望しているため、テレビ電源キー３ａを操作してすぐにはレコーダ電源キー３ｃを操作しない。
テレビ電源キー３ａが操作されてから長時間を経た場合、図５（ｂ）に示すように、レコーダ２は仮オン状態から電源オフ状態へ自動的に遷移する。
【００６５】
テレビ映像の視聴終了後、レコーダ映像の視聴を所望する使用者は、入力切替キー３ｂを操作してから長時間を経ない間にレコーダ電源キー３ｃを操作する。
図５（ｃ）に示すように、リモコン３の入力切替キー３ｂが操作されて入力切替信号が送信された場合、入力切替信号はテレビ１及びレコーダ２夫々が受信する。入力切替信号を受信したテレビ１は、映像データの入力機器をチューナ１３から通信部１８（延いてはレコーダ２）に切り替え、入力切替信号を受信したレコーダ２は電源オフ状態から仮オン状態へ遷移する。このときレコーダ２では、機器起動時間が長い映像処理部２５及びＨＤＤ２６夫々が起ち上げられる。
図５（ｄ）に示すリモコン３、テレビ１及びレコーダ２夫々の挙動は図４（ｂ）に示すリモコン３、テレビ１及びレコーダ２夫々の挙動と同様である。
【００６６】
図６は、本発明の実施の形態１に係る連動システムのレコーダが電源オフ状態から仮オン状態を経て電源オン状態へ遷移する場合に消費する電力の経時変化を示す特性図であり、図４（ａ）〜（ｂ）の手順に対応している。また、図７は、このレコーダが電源オフ状態から仮オン状態を経て電源オフ状態へ遷移する場合に消費する電力の経時変化を示す特性図であり、図５（ａ）〜（ｂ）の手順に対応している。
【００６７】
図８は、従来の連動システムのレコーダが電源オフ状態から電源オン状態へ遷移する場合に消費する電力の経時変化を示す特性図である。また、図９は、従来の連動システムの常に仮オン状態にあるレコーダが電源オン状態へ遷移する場合に消費する電力の経時変化を示す特性図である。図８及び図９夫々は、図６に対応している。
図６〜図９夫々の横軸は時刻ｔを示し、図６〜図９（ａ）夫々の縦軸はテレビ１の消費電力Ｗを示し、図６〜図９（ｂ）夫々の縦軸はレコーダ２の消費電力Ｗを示している。
【００６８】
図６は、時刻ｔ1 の時点で第１オン信号が送信され、時刻ｔ2 の時点で第２オン信号が出力された場合を示している。ここで、時刻ｔ2 とは、第１オン信号を受信したテレビ１が電源オフ状態から電源オン状態へ遷移が完了した（即ちテレビ１が使用可能になった）時刻であり、時刻ｔ1 からまだ所定時間τが経過していない時刻である。
図６（ａ）に示すように、電源オフ状態のテレビ１の消費電力Ｗは低いレベルで一定である。時刻ｔ1 の時点で第１オン信号を受信したテレビ１の消費電力Ｗは徐々に増大し、電源オン状態に遷移完了した後は、高いレベルで一定になる。テレビ１は時刻ｔ2 の時点で第２オン信号を送信する。
【００６９】
図６（ｂ）に示すように、電源オフ状態のレコーダ２の消費電力Ｗは低いレベルで一定である。時刻ｔ1 の時点で第１オン信号を受信したレコーダ２の消費電力Ｗは徐々に増大し、仮オン状態に遷移完了した後は、中程度のレベルで一定になる。更に時刻ｔ2 の時点で第２オン信号が入力されたレコーダ２の消費電力Ｗは徐々に増大し、電源オン状態に遷移完了した後は、高いレベルで一定になる。第２オン信号が入力されてから電源オン状態へ遷移完了するまでの時間（以下、オン遷移時間という）はタイムラグＴ1 である。
【００７０】
図８（ａ）に示すように、従来のテレビの消費電力Ｗの変化は図６（ａ）に示すテレビ１の消費電力Ｗの変化と同じである。
しかしながら、図８（ｂ）に示すように、従来のレコーダの消費電力Ｗの変化はレコーダ２とは異なる。電源オフ状態の従来のレコーダの消費電力Ｗは低いレベルで一定である。時刻ｔ2 の時点で第２オン信号が入力された従来のレコーダの消費電力Ｗは徐々に増大し、電源オン状態に遷移完了した後は、高いレベルで一定になる。
従来のレコーダは仮オン状態を経ないため、レコーダ２に比べて、図８（ｂ）にハッチングで示す電力量の分だけ省電力である。しかしながら、オン遷移時間は、タイムラグＴ1 よりも長いタイムラグＴ2 である。つまり、レコーダ２の起動時間は、従来のレコーダの起動時間よりも短い。
【００７１】
従来のレコーダについて、オン遷移時間をタイムラグＴ1 に短縮する場合、従来のレコーダを常に仮オン状態に維持しておくことが考えられる。この場合、図９（ａ）に示すように、従来のテレビの消費電力Ｗの変化は図６（ａ）に示すテレビ１の消費電力Ｗの変化と同じである。
図９（ｂ）に示すように、仮オン状態の従来のレコーダの消費電力Ｗは中程度のレベルで一定である。時刻ｔ2 の時点で第２オン信号が入力された従来のレコーダの消費電力Ｗは徐々に増大し、電源オン状態に遷移完了した後は、高いレベルで一定になる。オン遷移時間はタイムラグＴ1 である。
【００７２】
しかしながら、このような従来のレコーダは、レコーダ２に比べて、図９（ｂ）にハッチングで示す電力量の分だけ消費電力量が多い。また、一般に、図９（ｂ）にハッチングで示す電力量（即ち図９（ｂ）に示す従来のレコーダがレコーダ２に比べて余分に消費する電力量）は、図８（ｂ）にハッチングで示す電力量（即ちレコーダ２が図８（ｂ）に示す従来のレコーダに比べて余分に消費する電力量）に比べて非常に多い。何故ならば、図８（ｂ）に示す従来のレコーダは、テレビが電源オフになっている場合であっても仮オン状態を維持するからである。
一方、レコーダ２は、起動時間の短縮と消費電力量の低減とを適切に両立させている。
【００７３】
図７は、時刻ｔ1 の時点で第１オン信号が送信され、所定時間τが経過しても第２オン信号が出力されない場合を示している。
図７（ａ）に示すように、テレビ１の消費電力Ｗの変化は図６（ａ）に示すテレビ１の消費電力Ｗの変化と同じである。
図７（ｂ）に示すように、電源オフ状態のレコーダ２の消費電力Ｗは低いレベルで一定である。時刻ｔ1 の時点で第１オン信号を受信したレコーダ２の消費電力Ｗは徐々に増大し、仮オン状態に遷移完了した後は、中程度のレベルで一定になる。所定時間τが経過するまでは、レコーダ２は仮オン状態を維持するが、所定時間τが経過した時刻ｔ3 の時点でレコーダ２の消費電力Ｗは徐々に減少し、電源オフ状態に遷移完了した後は、低いレベルで一定になる。
つまりレコーダ２は、仮オン状態を無駄に長時間維持することなく電源オフ状態へ自動的に戻すため、消費電力量が無用に増大することを抑制している。
【００７４】
図１０及び図１１は、本発明の実施の形態１に係る連動システムにて実行される連動オン処理の手順を示すフローチャートである。
まず、テレビ１のＣＰＵ１０が実行する処理を説明する。ただし、Ｓ１１の処理が実行される場合、テレビ１はオフ状態である。
ＣＰＵ１０は、受光部１９を介して第１オン信号を受信したか否かを判定し（Ｓ１１）、受信していない場合（Ｓ１１でＮＯ）、Ｓ１１の処理を繰り返し実行する。
【００７５】
受光部１９を介して第１オン信号を受信した場合（Ｓ１１でＹＥＳ）、ＣＰＵ１０は、テレビ１を電源オン状態へ遷移させ（Ｓ１２）、処理をＳ１３へ移す。
ＣＰＵ１０は、接続ケーブルＣを介して通信部１８にレコーダ２が接続されているか否かを判定し（Ｓ１３）、接続されている場合（Ｓ１３でＹＥＳ）、受光部１９を介してレコーダオン信号を受信したか否かを判定する（Ｓ１４）。
【００７６】
レコーダオン信号を受信した場合（Ｓ１４でＹＥＳ）、ＣＰＵ１０は、通信部１８を介してレコーダ２へ第２オン信号を出力し（Ｓ１５）、処理をＳ１６へ移す。ただし、図示はしないがＣＰＵ１０は、入力切替信号を受信した場合に映像データの入力機器をチューナ１３から通信部１８に切り替える。
ＣＰＵ１０は、受光部１９を介してレコーダオフ信号を受信したか否かを判定し（Ｓ１６）、受信していない場合（Ｓ１６でＮＯ）、Ｓ１６の処理を繰り返し実行する。
受光部１９を介してレコーダオフ信号を受信した場合（Ｓ１６でＹＥＳ）、ＣＰＵ１０は、通信部１８を介してレコーダ２へ第２オフ信号を出力し（Ｓ１７）、処理をＳ１８へ移す。
【００７７】
ＣＰＵ１０は、受光部１９を介して第１オフ信号を受信したか否かを判定し（Ｓ１８）、受信していない場合（Ｓ１８でＮＯ）、処理をＳ１４へ戻す。
第１オフ信号を受信した場合（Ｓ１８でＹＥＳ）、ＣＰＵ１０は、テレビ１を電源オフ状態へ遷移させ（Ｓ１９）、処理をＳ１１へ戻す。
受光部１９を介してレコーダオン信号を受信していない場合（Ｓ１４でＮＯ）、ＣＰＵ１０は、受光部１９を介して入力切替信号を受信したか否かを判定し（Ｓ２０）、受信していない場合（Ｓ２０でＮＯ）、処理をＳ１８へ移す。入力切替信号を受信した場合（Ｓ２０でＹＥＳ）、ＣＰＵ１０は、映像データの入力機器をチューナ１３から通信部１８に切り替え（Ｓ２１）、処理をＳ１４へ戻す。
【００７８】
接続ケーブルＣを介して通信部１８にレコーダ２が接続されていない場合（Ｓ１３でＮＯ）、ＣＰＵ１０は、受光部１９を介して第１オフ信号を受信したか否かを判定し（Ｓ２２）、受信していない場合（Ｓ２２でＮＯ）、処理をＳ１３へ戻す。第１オフ信号を受信した場合（Ｓ２２でＹＥＳ）、ＣＰＵ１０は、テレビ１を電源オフ状態へ遷移させ（Ｓ２３）、処理をＳ１１へ戻す。
【００７９】
次に、レコーダ２のＣＰＵ２０が実行する処理を説明する。ただし、Ｓ３１の処理が実行される場合、レコーダ２はオフ状態である。
ＣＰＵ２０は、受光部２８を介して第１オン信号を受信したか否かを判定し（Ｓ３１）、受信した場合（Ｓ３１でＹＥＳ）、例えばクロックの個数を計数することによって、経過時間の計時を開始し（Ｓ３２）、次いで、レコーダ２を仮オン状態へ遷移させて（Ｓ３３）、処理をＳ３４へ移す。
ＣＰＵ２０は、通信部２７を介して第２オン信号が入力されたか否かを判定し（Ｓ３４）、入力された場合は（Ｓ３４でＹＥＳ）、計時を終了して（Ｓ３５）、レコーダ２を電源オン状態へ遷移させ（Ｓ３６）、処理をＳ３７へ移す。
【００８０】
ＣＰＵ２０は、通信部２７を介して第２オフ信号が入力されたか否かを判定し（Ｓ３７）、入力されていない場合は（Ｓ３７でＮＯ）、Ｓ３７の処理を繰り返す。第２オフ信号が入力された場合（Ｓ３７でＹＥＳ）、ＣＰＵ２０はレコーダ２を電源オフ状態へ遷移させて（Ｓ３８）、処理をＳ３１へ戻す。
通信部２７を介して第２オン信号が入力されていない場合（Ｓ３４でＮＯ）、ＣＰＵ２０は、所定時間が経過したか否かを判定する（Ｓ３９）。このためにＣＰＵ２０は、例えばＳ３２の処理によって計数を開始したクロックの計数結果が所定個数以上であるか否かを判定する。
まだ所定時間が経過していない場合（Ｓ３９でＮＯ）、ＣＰＵ２０は処理をＳ３４へ戻す。一方、所定時間が経過した場合（Ｓ３９でＹＥＳ）、ＣＰＵ２０は計時を終了して（Ｓ４０）、レコーダ２を電源オフ状態へ戻して（Ｓ４１）、処理をＳ３１へ戻す。
【００８１】
受光部２８を介して第１オン信号を受信していない場合（Ｓ３１でＮＯ）、ＣＰＵ２０は、受光部２８を介して入力切替信号を受信したか否かを判定し（Ｓ４２）、受信した場合（Ｓ４２でＹＥＳ）、処理をＳ３２へ移す。受光部２８を介して入力切替信号を受信していない場合（Ｓ４２でＮＯ）、ＣＰＵ２０は、通信部２７を介して第２オン信号が入力されたか否かを判定し（Ｓ４３）、入力されていない場合（Ｓ４３でＮＯ）、ＣＰＵ２０は処理をＳ３１へ戻す。
通信部２７を介して第２オン信号が入力された場合（Ｓ４３でＹＥＳ）、ＣＰＵ２０はレコーダ２を電源オン状態へ遷移させ（Ｓ４４）、処理をＳ３７へ移す。
【００８２】
以上のような連動オン処理のＳ３３におけるＣＰＵ２０はオン手段として機能する。また、Ｓ３９におけるＣＰＵ２０は経過判定手段として機能し、Ｓ４１におけるＣＰＵ２０はオフ手段として機能する。
【００８３】
以上のような連動システム４は、テレビ１の電源をオンにする第１オン信号をレコーダ２で受信して、レコーダ２を仮オン状態へ遷移させてから、レコーダ２の電源をオンにするレコーダオン信号をテレビ１が受信した場合に第２オン信号を出力してレコーダ２を電源オン状態へ遷移させることで、レコーダ２の起動時間を短縮させることができる。また、レコーダ２を常に仮オン状態に維持する必要がないため、節電を図ることができる。
【００８４】
なお、第１電気装置及び第２電気装置はテレビ１及びレコーダ２に限定されるものではない。例えば第２電気装置は、スピーカを備えるアンプ装置、又はゲーム機等であってもよく、接続ケーブルＣを介さずにテレビ１に一体的に取り付け／取り外し可能なＨＤＤであってもよい。
【００８５】
また、本実施の形態ではリモコン３として赤外線リモコンを例示しているが、これに限定されず、例えばＲＦリモコンであってもよい。この場合、リモコン３は発光部３１の代わりに、テレビ制御信号を含む電波を送信する電波送信部を備え、テレビ１及びレコーダ２夫々は、受光部１９，２８の代わりに電波を受信し、受信した電波に含まれるテレビ制御信号をＣＰＵ１０，２０に入力する電波受信部を備える。電波を用いる場合、赤外線を用いる場合に比べて各種信号の送受信可能範囲が広がるため、テレビ１及びレコーダ２夫々の配置、リモコン３の向き等の自由度を向上させることができる。
【００８６】
実施の形態  ２．
図１２は、本発明の実施の形態２に係る連動システムにて実行されるコード記憶処理の手順を示すフローチャートである。
本実施の形態の連動システム４の構成は、実施の形態１の連動システム４の構成と略同じである。このため、実施の形態１に対応する部分には同一符号を付してそれらの説明を省略する。
テレビ１のＣＰＵ１０は、接続ケーブルＣを介して他の電気装置がテレビ１に接続されたか否かを判定する（Ｓ５１）。このためにＣＰＵ１０は、例えば通信部１８の抵抗値、インピーダンス等を検出し、検出した値の高低に応じて電気装置が接続されたか否かを判定する。
【００８７】
テレビ１に電気装置が接続されていない場合（Ｓ５１でＮＯ）、ＣＰＵ１０はＳ５１の処理を繰り返し実行する。一方、テレビ１に電気装置が接続された場合（Ｓ５１でＹＥＳ）、ＣＰＵ１０は接続された電気装置に対してリモコン３のキーコードを出力し（Ｓ５２）、コード記憶処理を終了する。ここで、リモコン３のキーコードとは、リモコン３のテレビ操作キー及びレコーダ操作キー夫々に対応するコードであり、テレビ電源キー３ａ及び入力切替キー３ｂ夫々に対応するコードは、第１オン信号及び入力切替信号夫々に対応する。キーコードはＲＯＭ１１に予め記憶されている。
【００８８】
レコーダ２のＣＰＵ２０は、レコーダ２が接続ケーブルＣを介して他の電気装置に接続したか否かを判定する（Ｓ６１）。このためにＣＰＵ２０は、例えば通信部２７の抵抗値、インピーダンス等を検出し、検出した値の高低に応じて、他の電気装置に接続したか否かを判定する。
レコーダ２が他の電気装置に接続していない場合（Ｓ６１でＮＯ）、ＣＰＵ２０はＳ６１の処理を繰り返し実行する。一方、レコーダ２が他の電気装置に接続した場合（Ｓ６１でＹＥＳ）、ＣＰＵ２０は、接続した他の電気装置からキーコードが入力されたか否かを判定し（Ｓ６２）、入力されていないときは（Ｓ６２でＮＯ）、Ｓ６２の処理を繰り返し実行する。一方、接続した他の電気装置からキーコードが入力された場合（Ｓ６２でＹＥＳ）、ＣＰＵ２０は、入力されたキーコードをＲＡＭ２２に記憶させ（Ｓ６３）、コード記憶処理を終了する。
【００８９】
ＣＰＵ２０は、図１０に示すような連動オン処理を実行する場合、Ｓ３１（又はＳ４２）の処理で第１オン信号（又は入力切替信号）を受信したか否かを判定するために、受光部２８を介して受信した信号が、ＲＡＭ２２に記憶してあるキーコードに対応する信号であるか否かを判定する。受信した信号が、ＲＡＭ２２に記憶してあるキーコードに対応する信号、即ち第１オン信号（又は入力切替信号）である場合、ＣＰＵ２０は、第１オン信号（又は入力切替信号）を受信したと判定する。
このようなコード記憶処理において、通信部１８は出力部として機能し、通信部２７は入力部として機能する。
【００９０】
以上のような連動システム４では、例えばレコーダ２の工場出荷時に、テレビ１のリモコン３（及びレコーダ２が接続すべき各種テレビ夫々のリモコン）のキーコードをレコーダ２のＲＯＭ２１に記憶させておく必要がなく、テレビ１とレコーダ２とが接続された時点でテレビ１からレコーダ２へキーコードを与えることができる。
この結果、例えばレコーダ２と同一メーカのテレビ１のリモコン３のキーコードはＲＯＭ２１に予め記憶させておいて、コード記憶処理を実行する手間隙を省き、他社のテレビ１のリモコン３のキーコードはこのテレビ１に接続した場合にこのテレビから受け取る構成にして、ＲＯＭ２１の記憶容量を節約することができる。
【００９１】
また、ＲＯＭ２１又はＲＡＭ２２に記憶されたキーコードに対応する信号以外の信号（例えばテレビ１とは異なるテレビのリモコンが送信した第１オン信号又は入力切替信号）を受信した場合には、ＣＰＵ２０が、第１オン信号（又は入力切替信号）を受信していないと判定する。このため、例えばリモコン３以外のリモコンが出力した信号を受け付けたときに、レコーダ２が誤って仮オン状態に遷移し、無駄に電力を消費する不具合を防止することができる。
【００９２】
なお、テレビ１とレコーダ２とが接続された場合に、テレビ１がレコーダ２に対してテレビ１のリモコン３のキーコードを与え、レコーダ２がテレビ１に対してレコーダ２のリモコンのキーコードを与える構成でもよい。この場合、使用者はリモコン３を用いてレコーダ２を操作することが可能になり、しかも、レコーダ２のリモコンを用いてテレビ１を操作することが可能になる。
【図面の簡単な説明】
【００９３】
【図１】本発明の実施の形態１に係る連動システムの構成を示すブロック図である。
【図２】本発明の実施の形態１に係る連動システムが備えるレコーダの電源オフ状態を模式的に示すブロック図である。
【図３】本発明の実施の形態１に係る連動システムが備えるレコーダの仮オン状態を模式的に示すブロック図である。
【図４】本発明の実施の形態１に係る連動システムが備えるテレビ及びレコーダのオン／オフ手順の一例を説明するブロック図である。
【図５】本発明の実施の形態１に係る連動システムが備えるテレビ及びレコーダのオン／オフ手順の他の一例を説明するブロック図である。
【図６】本発明の実施の形態１に係る連動システムのレコーダが電源オフ状態から仮オン状態を経て電源オン状態へ遷移する場合に消費する電力の経時変化を示す特性図である。
【図７】本発明の実施の形態１に係る連動システムのレコーダが電源オフ状態から仮オン状態を経て電源オフ状態へ遷移する場合に消費する電力の経時変化を示す特性図である。
【図８】従来の連動システムのレコーダが電源オフ状態から電源オン状態へ遷移する場合に消費する電力の経時変化を示す特性図である。
【図９】従来の連動システムの常に仮オン状態にあるレコーダが電源オン状態へ遷移する場合に消費する電力の経時変化を示す特性図である。
【図１０】本発明の実施の形態１に係る連動システムにて実行される連動オン処理の手順を示すフローチャートである。
【図１１】本発明の実施の形態１に係る連動システムにて実行される連動オン処理の手順を示すフローチャートである。
【図１２】本発明の実施の形態２に係る連動システムにて実行されるコード記憶処理の手順を示すフローチャートである。
【符号の説明】
【００９４】
１    テレビ（第１電気装置，外部装置）
１８  通信部（出力部）
２    レコーダ（第２電気装置，電気装置）
２０  ＣＰＵ（一部のハードウェア）
２１  ＲＯＭ（一部のハードウェア）
２２  ＲＡＭ（一部のハードウェア）
２３  表示部（他部のハードウェア）
２４  チューナ（他部のハードウェア）
２５  映像処理部（他部のハードウェア，他部のハードウェアの一部）
２６  ＨＤＤ（他部のハードウェア，他部のハードウェアの一部）
２７  通信部（一部のハードウェア，入力部）
２８  受光部（一部のハードウェア，受付部）
３    リモコン（リモートコントローラ）
４    連動システム
【図１】
2009118181.tif 000003
【図２】
2009118181.tif 000004
【図３】
2009118181.tif 000005
【図４】
2009118181.tif 000006
【図５】
2009118181.tif 000007
【図６】
2009118181.tif 000008
【図７】
2009118181.tif 000009
【図８】
2009118181.tif 000010
【図９】
2009118181.tif 000011
【図１０】
2009118181.tif 000012
【図１１】
2009118181.tif 000013
【図１２】
2009118181.tif 000014